(57)【要約】【課題】雨が所定の領域に落下することを抑制するために雨を所定の領域外に効果的に吹き飛ばすことが可能で経済的な雨吹き飛ばし方法、及び、雨吹き飛ばし装置を提供する。【解決手段】本発明に係る雨吹き飛ばし方法は、雨を落下させたくない領域Ｘの上方位置に、送風方向１Ｆが上向きになるように複数の送風機１，１…を設置して、当該複数の送風機からの風を雨粒に衝突させて雨粒を落下させたくない領域Ｘ外に飛ばすことを特徴とする。また、本発明に係る雨吹き飛ばし装置は、雨を落下させたくない領域Ｘの上方位置に、送風方向１Ｆが上向きになるように設置された複数の送風機１，１…を備えたことを特徴とする。【選択図】図１
2018066240.tif 000002
【特許請求の範囲】
【請求項１】
雨を落下させたくない領域の上方位置に、送風方向が上向きになるように複数の送風機を設置して、当該複数の送風機からの風を雨粒に衝突させて雨粒を落下させたくない領域外に飛ばすことを特徴とする雨吹き飛ばし方法。
【請求項２】
雨を落下させたくない領域の上方位置に、送風方向が上向きになるように設置された複数の送風機を備えたことを特徴とする雨吹き飛ばし装置。
【請求項３】
雨を落下させたくない領域が、真上から見て四角形の４角に位置するように配置された４本の柱配筋で囲まれた領域の下方であるコンクリート打設予定領域であり、
互いに隣り合う２本の柱配筋の上端部間に跨って四角形の一辺を形成するように複数の送風機が設置されたことを特徴とする請求項２に記載の雨吹き飛ばし装置。
【請求項４】
柱配筋が建物の一方方向に所定の間隔を隔てて２本以上設置されるとともに柱配筋が建物の他方方向に所定の間隔を隔てて２本以上設置されることにより柱配筋が行列状に設けられたコンクリート打設予定領域において、
一方方向の２列目に位置される他方方向に沿って位置された複数の柱配筋の上部に跨るように他方方向に沿って設けられて送風方向が一方方向の１列目に向けて上向きとなるように設置された複数の送風機と、
一方方向の３列目に位置される他方方向に沿って位置された複数の柱配筋の上部に跨るように他方方向に沿って設けられて送風方向が一方方向の４列目に向けて上向きとなるように設置された複数の送風機と、
一方方向の２列目に位置される他方方向に沿って位置された複数の柱配筋と一方方向の３列目に位置される他方方向に沿って位置された複数の柱配筋との間の中間位置の上方において他方方向に沿って設けられて送風方向が一方方向の１列目に向けて上向きとなるように設置された複数の送風機と、
一方方向の２列目に位置される他方方向に沿って位置された複数の柱配筋と一方方向の３列目に位置される他方方向に沿って位置された複数の柱配筋との間の中間位置の上方において他方方向に沿って設けられて送風方向が一方方向の４列目に向けて上向きとなるように設置された複数の送風機とを備えたことを特徴とする請求項２に記載の雨吹き飛ばし装置。
【発明の詳細な説明】
【技術分野】
【０００１】
本発明は、雨が所定の領域に落下することを抑制するために雨を所定の領域外に吹き飛ばす雨吹き飛ばし方法、及び、雨吹き飛ばし装置に関する。
【背景技術】
【０００２】
雨が所定の領域に落下することを抑制するために雨を所定の領域外に飛ばす雨吹き飛ばし装置として、例えば雨天時においてもコンクリート打設作業を行えるようにエアで雨を吹き飛ばすようにしたエア式屋根機構を備えた工事現場用屋根装置が知られている（特許文献１参照）。
【先行技術文献】
【特許文献】
【０００３】
【特許文献１】特開平７−２１７２１９号公報
【発明の概要】
【発明が解決しようとする課題】
【０００４】
しかしながら、上述した雨吹き飛ばし装置としての工事現場用屋根装置では、送風方向が水平となるように送風機を設置しているため、例えば、雨量が多かったり、雨粒が大きかったり、雨の落下速度が速い場合等、効果的に雨を吹き飛ばすためには、高い圧力のエア（圧縮空気）を生成するための高出力の高価なコンプレッサーが必要となり、経済的ではないという課題があった。
本発明は、雨が所定の領域に落下することを抑制するために雨を所定の領域外に効果的に吹き飛ばすことが可能で経済的な雨吹き飛ばし方法、及び、雨吹き飛ばし装置を提供するものである。
【課題を解決するための手段】
【０００５】
本発明に係る雨吹き飛ばし方法は、雨を落下させたくない領域の上方位置に、送風方向が上向きになるように複数の送風機を設置して、当該複数の送風機からの風を雨粒に衝突させて雨粒を落下させたくない領域外に飛ばすことを特徴とするので、雨が所定の領域に落下することを抑制するために雨を所定の領域外に効果的に吹き飛ばすことが可能で経済的な雨吹き飛ばし方法を実現できる。特に、送風機の送風方向を上向きに設定することにより、送風方向が水平となるように送風機を設置する従来の装置と比べた場合、高出力の高価なコンプレッサーを備えた送風機ではなく、市販されている比較的安価である一般的な送風機を用いて、雨を落下させたくない領域外に吹き飛ばすことができるようになり、経済的である。
本発明に係る雨吹き飛ばし装置は、雨を落下させたくない領域の上方位置に、送風方向が上向きになるように設置された複数の送風機を備えたので、雨が所定の領域に落下することを抑制するために雨を所定の領域外に効果的に吹き飛ばすことが可能で経済的な雨吹き飛ばし装置を提供できる。
また、雨を落下させたくない領域が、真上から見て四角形の４角に位置するように配置された４本の柱配筋で囲まれた領域の下方であるコンクリート打設予定領域であり、互いに隣り合う２本の柱配筋の上端部間に跨って四角形の一辺を形成するように複数の送風機が設置された構成としたので、コンクリート打設予定領域においてコンクリートに雨が混入することを防止できて、コンクリートの性能を劣化させることなく、コンクリート打設作業を行うことが可能となる。
また、柱配筋が建物の一方方向に所定の間隔を隔てて２本以上設置されるとともに柱配筋が建物の他方方向に所定の間隔を隔てて２本以上設置されることにより柱配筋が行列状に設けられたコンクリート打設予定領域において、一方方向の２列目に位置される他方方向に沿って位置された複数の柱配筋の上部に跨るように他方方向に沿って設けられて送風方向が一方方向の１列目に向けて上向きとなるように設置された複数の送風機と、一方方向の３列目に位置される他方方向に沿って位置された複数の柱配筋の上部に跨るように他方方向に沿って設けられて送風方向が一方方向の４列目に向けて上向きとなるように設置された複数の送風機と、一方方向の２列目に位置される他方方向に沿って位置された複数の柱配筋と一方方向の３列目に位置される他方方向に沿って位置された複数の柱配筋との間の中間位置の上方において他方方向に沿って設けられて送風方向が一方方向の１列目に向けて上向きとなるように設置された複数の送風機と、一方方向の２列目に位置される他方方向に沿って位置された複数の柱配筋と一方方向の３列目に位置される他方方向に沿って位置された複数の柱配筋との間の中間位置の上方において他方方向に沿って設けられて送風方向が一方方向の４列目に向けて上向きとなるように設置された複数の送風機とを備えた構成としたので、柱配筋が建物の一方方向に所定の間隔を隔てて２本以上設置されるとともに柱配筋が建物の他方方向に所定の間隔を隔てて２本以上設置されることにより柱配筋が行列状に設けられたコンクリート打設予定領域に、雨を落下させないようにでき、雨天時において当該コンクリート打設予定領域にコンクリート打設作業を行うことが可能となる。即ち、コンクリートに雨が混入することを防止できて、コンクリートの性能を劣化させることなく、コンクリート打設作業を行うことが可能となる。また、雨天時において、柱配筋の下部側にコンクリートを打設する作業を広い範囲で行うことが可能となり、雨天による施工期間の遅れを抑制できるようになる。
【図面の簡単な説明】
【０００６】
【図１】雨吹き飛ばし方法の原理を示す図（実施形態１）。
【図２】雨吹き飛ばし装置を上から見た図（実施形態１）。
【図３】雨吹き飛ばし装置を上から見た図（実施形態２）。
【図４】雨吹き飛ばし装置を示す斜視図（実施形態３）。
【図５】雨吹き飛ばし装置を側方から見た図（実施形態３）。
【図６】雨吹き飛ばし装置を側方から見た図（実施形態４）。
【発明を実施するための形態】
【０００７】
実施形態１
実施形態１に係る雨吹き飛ばし方法は、図１に示すように、雨を落下させたくない領域Ｘの上方位置に、送風方向が同方向かつ上向きになるように複数の送風機１，１…を設置して、当該複数の送風機１，１…からの風を雨粒に衝突させて雨粒を落下させたくない領域Ｘ外に飛ばす方法である。
即ち、雨を落下させたくない領域Ｘの上方位置における同一水平面１Ｈ上において複数の送風機１，１…が１列（図１における紙面と直交する方向、図２における上下方向）に並ぶように配置され、かつ、複数の送風機１，１…の送風方向１Ｆ，１Ｆ…が同方向かつ上向きになるように設定される。
各送風機１，１…から送風される風の送風方向１Ｆ，１Ｆ…は、水平面１Ｈに対する傾斜角度が所定角度θをなして上向きに傾斜するように設定される。即ち、各送風機１，１…は回転翼（ファン）の回転中心軸が水平面１Ｈに対して所定角度θだけ傾くように所定の取付部に取付けられることで、各送風機１，１から送風される風の送風方向１Ｆ，１Ｆが、水平面１Ｈに対して所定角度θをなして上向きに傾斜するように設定される。
所定角度θは、例えば１５°〜６０°程度の範囲、好ましくは３０°〜４５°程度の範囲に設定することが好ましい。
【０００８】
上述した雨吹き飛ばし方法を適用した雨吹き飛ばし装置は、雨を落下させたくない領域Ｘの上方において、送風方向１Ｆが同方向かつ上向きになるように設置された複数の送風機１，１…を備えた構成である。
複数の送風機１，１…は例えば設置部１Ｃに設置されて構成される。設置部１Ｃとしては、例えば、複数の送風機１，１…を横一列に並べて設置できるように構成された設置フレームを用いればよい。
例えば、図２に示すように、雨を落下させたくない領域Ｘが立方体又は直方体の領域である場合、当該領域Ｘにおける隣り合う一対の角部にそれぞれ柱３，３を設けて、これら柱３，３の上端面３ｔ，３ｔ間に跨るように、複数の送風機１，１…が設置部１Ｃに設置されて構成された送風機群１Ａを設置し、当該複数の送風機１，１…からの風を雨粒に衝突させて雨粒を雨を落下させたくない領域Ｘ外に飛ばす構成とすればよい。
【０００９】
送風機１は、例えばモータにより回転する回転翼の直径が４００ｍｍ〜５００ｍｍ程度の市販されている比較的安価である一般的な送風機１を用いればよい。
【００１０】
実施形態１に係る雨吹き飛ばし方法及び雨吹き飛ばし装置によれば、複数の送風機１，１…から斜め上方向に風を吹き出して空気を舞い上がらせることで、上方で雨粒を小さく粉砕しながら、雨を落下させたくない領域Ｘ外に吹き飛ばすことができるようになり、雨を落下させたくない領域Ｘに雨が落下するのを効果的に抑制することができるようになる。
特に、複数の送風機１，１…の送風方向１Ｆを上向きに設定することにより、送風方向が水平となるように送風機を設置する従来の装置と比べた場合、高出力の高価なコンプレッサーを備えた送風機ではなく、市販されている比較的安価である一般的な送風機１を用いて、雨を落下させたくない領域Ｘ外に吹き飛ばすことができるようになり、経済的である。
また、複数の送風機１，１…を一列に並ぶように設置するだけでよいので、経済的である。
つまり、実施形態１に係る雨吹き飛ばし方法及び雨吹き飛ばし装置によれば、雨が所定の領域に落下することを抑制するために雨を所定の領域外に効果的に吹き飛ばすことが可能で経済的な雨吹き飛ばし方法及び雨吹き飛ばし装置を実現できる。
【００１１】
尚、各送風機１，１…は、例えば、雨を落下させたくない領域Ｘの上方における同一水平面１Ｈ上に配置されることが好ましいが、高低差があるように配置されていても構わない。
また、各送風機１，１…は、送風方向１Ｆが同方向ではなく、異なる方向、例えば、隣り合う送風機１，１の送風方向１Ｆ，１Ｆが互いに交差する方向となるように設置されていても構わない。
また、各送風機１，１…は、それぞれ、所定角度θが異なるように設置されていても構わない。
【００１２】
実施形態２
次に、雨天時においてコンクリート打設現場でのコンクリート打設作業を可能とするために上述した雨吹き飛ばし方法を適用した雨吹き飛ばし装置について説明する。
即ち、建設途中の建物の一定領域での雨天時においてのコンクリート打設作業を可能とするために、建設途中の建物の柱配筋３０の上部に上述した雨吹き飛ばし装置を構築する。
尚、図示を省略するが、地上面又は下層床面より立設される建設途中の建物の柱配筋３０は、複数の主筋が完成した場合に四角柱となる柱の４辺に沿って所定の間隔を隔てて並ぶように設けられ、かつ、これら主筋を取り囲む帯筋が主筋の延長方向に沿って所定の間隔を隔てて複数設けられた構成である。
【００１３】
実施形態２の雨吹き飛ばし装置としては、例えば、図３に示すように、雨を落下させたくない領域Ｘが、真上から見て四角形の４角に位置するように配置された４本の柱配筋３０で囲まれた領域の下方であるコンクリート打設予定領域である場合において、互いに隣り合う２本の柱配筋３０，３０の上端部３０ｔ，３０ｔ間に跨って四角形の一辺を形成するように上述した送風機群１Ａを設置した構成とする。
実施形態２による雨吹き飛ばし装置によれば、４本の柱配筋３０，３０…で囲まれた領域の下方であるコンクリート打設予定領域に、雨を落下させないようにでき、雨天時において当該コンクリート打設予定領域にコンクリート打設作業を行うことが可能となる。即ち、コンクリートに雨が混入することを防止できて、コンクリートの性能を劣化させることなく、コンクリート打設作業を行うことが可能となる。
【００１４】
実施形態３
建設途中の建物の柱配筋３０の上部に構築されるより具体的な雨吹き飛ばし装置として、例えば、図４，図５に示すように、地上面Ａ又は下層床面より立設される複数の柱配筋３０，３０…で囲まれた梁間方向３スパン桁行方向２スパン分の床領域に雨天時においてコンクリート打設作業を行う場合の雨吹き飛ばし装置について説明する。
尚、スパンとは、互いに隣り合う各柱配筋３０，３０の柱芯間の間隔のことである。梁間方向３スパン桁行方向２スパンの場合、真上から見て、建物の桁行方向Ｄ（建物の長辺方向）に沿って柱配筋３０が等間隔に３本並ぶように設けられた柱配筋列が、建物の梁間方向Ｅ（建物の短辺方向）に沿って等間隔に４列設けられた構成である。以下、柱配筋３０の位置を特定する場合、図４に示す柱配筋３０Ａを基準として、桁行方向○列目梁間方向○列目と示して特定する。
【００１５】
即ち、実施形態３の雨吹き飛ばし装置は、図４に示すように、柱配筋３０が建物の梁間方向Ｅに所定の間隔を隔てて４本設置されるとともに、柱配筋３０が建物の桁行方向Ｄに所定の間隔を隔てて３本設置されて構成されたコンクリート打設予定領域において、梁間方向Ｅの２列目に位置される桁行方向Ｄに沿って位置された３本の柱配筋３０（即ち、桁行方向Ｄ１列目梁間方向Ｅ２列目に位置する柱配筋３０Ｂ、桁行方向Ｄ２列目梁間方向Ｅ２列目に位置する柱配筋３０Ｄ、桁行方向Ｄ３列目梁間方向Ｅ２列目に位置する柱配筋３０Ｆ）の上部に跨るように桁行方向Ｄに沿って設けられて送風方向１Ｆが梁間方向Ｅの一端側（梁間方向Ｅの１列目側）に向けて上向きとなるように設置された送風機群１Ａ１（１Ａ）と、梁間方向Ｅの３列目に位置される桁行方向Ｄに沿って位置された３本の柱配筋３０（即ち、桁行方向Ｄ１列目梁間方向Ｅ３列目に位置する柱配筋３０Ｇ、桁行方向Ｄ２列目梁間方向Ｅ３列目に位置する柱配筋３０Ｉ、桁行方向Ｄ３列目梁間方向Ｅ３列目に位置する柱配筋３０Ｋ）の上部に跨るように桁行方向Ｄに沿って設けられて送風方向１Ｆが梁間方向Ｅの他端側（梁間方向Ｅの４列目側）に向けて上向きとなるように設置された送風機群１Ａ２（１Ａ）と、梁間方向Ｅの２列目に位置される桁行方向Ｄに沿って位置された３本の柱配筋３０と梁間方向Ｅの３列目に位置される桁行方向Ｄに沿って位置された３本の柱配筋との間の中間位置の上方において桁行方向Ｄに沿って設けられて送風方向１Ｆが梁間方向Ｅの一端側（梁間方向Ｅの１列目側）に向けて上向きとなるように設置された送風機群１Ａ３（１Ａ）と、梁間方向Ｅの２列目に位置される桁行方向Ｄに沿って位置された３本の柱配筋３０と梁間方向Ｅの３列目に位置される桁行方向Ｄに沿って位置された３本の柱配筋３０との間の中間位置の上方において桁行方向Ｄに沿って設けられて送風方向１Ｆが梁間方向Ｅの他端側（梁間方向Ｅの４列目側）に向けて上向きとなるように設置された送風機群１Ａ４（１Ａ）とを備えた構成とする。
尚、送風機群１Ａ１の設置部１Ｃの上面と送風機群１Ａ２の設置部１Ｃの上面とに跨る支持板３１を、桁行方向Ｄに沿って所定の間隔を隔てて複数設置し、これら複数の支持板３１，３１…の中間位置の上面において桁行方向Ｄに沿って延長するように送風機群１Ａ３及び送風機群１Ａ４が設置される。
実施形態３による雨吹き飛ばし装置によれば、図５に示すように、送風機群１Ａ１，１Ａ３から吹き出された風により雨を梁間方向Ｅの一端側（梁間方向Ｅの１列目側）に吹き飛ばすことができるとともに、送風機群１Ａ２，１Ａ４から吹き出された風により雨を梁間方向Ｅの他端側（梁間方向Ｅの４列目側）に吹き飛ばすことができるようになるので、柱配筋３０が建物の梁間方向Ｅに所定の間隔を隔てて４本設置されて、柱配筋３０が建物の桁行方向Ｄに所定の間隔を隔てて３本設置されて構成されたコンクリート打設予定領域に、雨を落下させないようにでき、雨天時において当該コンクリート打設予定領域にコンクリート打設作業を行うことが可能となる。即ち、コンクリートに雨が混入することを防止できて、コンクリートの性能を劣化させることなく、コンクリート打設作業を行うことが可能となる。また、雨天時において、柱配筋３０の下部側にコンクリートを打設する作業を広い範囲で行うことが可能となり、雨天による施工期間の遅れを抑制できるようになる。
【００１６】
尚、上記では、一例として、梁間方向３スパン桁行方向２スパン分の床領域に雨天時においてコンクリート打設作業を行う場合の雨吹き飛ばし装置について説明したが、実施形態３の雨吹き飛ばし装置は、柱配筋３０が建物の梁間方向Ｅに所定の間隔を隔てて２本以上設置されるとともに柱配筋３０が建物の桁行方向Ｄに所定の間隔を隔てて２本以上設置されることにより柱配筋３０が行列状に設けられたコンクリート打設予定領域に対応可能である。
即ち、実施形態３の雨吹き飛ばし装置は、柱配筋３０が建物の一方方向に所定の間隔を隔てて２本以上設置されるとともに柱配筋３０が建物の他方方向に所定の間隔を隔てて２本以上設置されることにより柱配筋３０が行列状に設けられたコンクリート打設予定領域において、一方方向の２列目に位置される他方方向に沿って位置された複数の柱配筋の上部に跨るように他方方向に沿って設けられて送風方向１Ｆが一方方向の１列目に向けて上向きとなるように設置された複数の送風機１，１…と、一方方向の３列目に位置される他方方向に沿って位置された複数の柱配筋の上部に跨るように他方方向に沿って設けられて送風方向１Ｆが一方方向の４列目に向けて上向きとなるように設置された複数の送風機１，１…と、一方方向の２列目に位置される他方方向に沿って位置された複数の柱配筋と一方方向の３列目に位置される他方方向に沿って位置された複数の柱配筋との間の中間位置の上方において他方方向に沿って設けられて送風方向１Ｆが一方方向の１列目に向けて上向きとなるように設置された複数の送風機１，１…と、一方方向の２列目に位置される他方方向に沿って位置された複数の柱配筋と一方方向の３列目に位置される他方方向に沿って位置された複数の柱配筋との間の中間位置の上方において他方方向に沿って設けられて送風方向１Ｆが一方方向の４列目に向けて上向きとなるように設置された複数の送風機１，１…とを備えて構成される。
尚、上述した一方方向を建物の梁間方向Ｅ（建物の短辺方向）とした場合、上述した他方方向は建物の桁行方向Ｄ（建物の長辺方向）である。逆に、上述した一方方向を建物の桁行方向Ｄ（建物の長辺方向）とした場合、上述した他方方向は建物の梁間方向Ｅ（建物の短辺方向）である。
即ち、実施形態３による雨吹き飛ばし装置は、柱配筋３０が建物の一方方向に所定の間隔を隔てて２本以上設置されるとともに柱配筋３０が建物の他方方向に所定の間隔を隔てて２本以上設置されることにより柱配筋３０が行列状に設けられたコンクリート打設予定領域に対応して、当該コンクリート打設予定領域に雨を落下させないようにでき、雨天時において当該コンクリート打設予定領域にコンクリート打設作業を行うことが可能となる。
つまり、実施形態３の雨吹き飛ばし装置において、一方方向を建物の梁間方向Ｅとし、上述した他方方向は建物の桁行方向Ｄとした場合においては、桁行方向Ｄの送風機１の数を増減することで、梁間方向３スパン桁行方向１スパン以上のコンクリート打設予定領域に雨を落下させないようにできる。また、実施形態３の雨吹き飛ばし装置において、一方方向を建物の桁行方向Ｄとし、上述した他方方向は建物の梁間方向Ｅとした場合においては、梁間方向Ｅの送風機１の数を増減することで、桁行方向３スパン梁間方向１スパン以上のコンクリート打設予定領域に雨を落下させないようにできる。
【００１７】
また、梁間方向Ｅの一端側に位置する柱配筋３０Ａ，３０Ｃ，３０Ｅの外側面、及び、梁間方向Ｅの他端側に位置する柱配筋３０Ｈ，３０Ｊ，３０Ｌの外側面に、シート４０を張って、梁間方向Ｅの両端側に吹き飛ばされる雨粒がコンクリート打設現場の周囲に飛び散らないようにすることが好ましい。この場合、シート４０としては、吸水性能の優れたシートを用いることが好ましい。尚、実施形態３で説明した雨吹き飛ばし装置において、一方方向を建物の桁行方向Ｄとし、上述した他方方向は建物の梁間方向Ｅとした場合においては、桁行方向Ｄの一端側に位置する柱配筋３０の外側面、及び、桁行方向Ｄの他端側に位置する柱配筋３０の外側面に、シート４０を張って、桁行方向の両端側に吹き飛ばされる雨粒がコンクリート打設現場の周囲に飛び散らないようにしてもよい。
【００１８】
実施形態４
図６に示すように、実施形態３による雨吹き飛ばし装置の構成に加えて、梁間方向Ｅの２列目に位置される桁行方向Ｄに沿って位置された複数の柱配筋３０と梁間方向Ｅの３列目に位置される桁行方向Ｄに沿って位置された複数の柱配筋３０との間の中間位置の上方において桁行方向Ｄに沿って設けられて送風方向１Ｆが真上を向くように設置された送風機群１Ａ５（１Ａ）を備えた構成とする。当該送風機群１Ａ５は、送風機群１Ａ３の設置部１Ｃ及び送風機群１Ａ４の設置部１Ｃの上面に設置すればよい。
実施形態４による雨吹き飛ばし装置によれば、送風方向１Ｆが真上を向くように設置された送風機群１Ａ５の複数の送風機１，１…から吹き出す風によって当該複数の送風機１，１…の上方に降る雨粒が小さく粉砕されて梁間方向Ｅの両端側に振り分けられるようになるので、コンクリート打設予定領域に雨を落下させないようにできる効果がより向上する。
尚、実施形態３で説明した雨吹き飛ばし装置において、一方方向を建物の桁行方向Ｄとし、上述した他方方向は建物の梁間方向Ｅとした場合においては、桁行方向Ｄの２列目に位置される梁間方向Ｅに沿って位置された複数の柱配筋３０と桁行方向Ｄの３列目に位置される梁間方向Ｅに沿って位置された複数の柱配筋３０との間の中間位置の上方において梁間方向に沿って設けられて送風方向１Ｆが真上を向くように設置された送風機群を備えた構成とすればよい。
【００１９】
尚、実施形態では、雨吹き飛ばし方法を適用した雨吹き飛ばし装置を雨天時のコンクリート打設作業時に使用する例を示したが、本発明の雨吹き飛ばし方法を適用した雨吹き飛ばし装置は、屋外に設けられたエスカレータ、通路、その他の様々な場所に設置して雨を吹き飛ばすような場合に使用したり、夏季における熱中症対策にも使用可能である。
【符号の説明】
【００２０】
１  送風機、１Ｆ  送風方向、３０  柱配筋、Ｘ  雨を落下させたくない領域。
【図１】
2018066240.tif 000003
【図２】
2018066240.tif 000004
【図３】
2018066240.tif 000005
【図４】
2018066240.tif 000006
【図５】
2018066240.tif 000007
【図６】
2018066240.tif 000008